(57)【要約】【課題】  粘着テープの覆いを３分割して、覆い中央部分を支持具に固定して覆い中央部の左右に覆いを扇転自在に装着された形状の場合は、左右の覆いを２回で裏返し覆い裏が見えて見栄えが良くない。【解決手段】  巻粘着テープ清掃用具において、粘着テープの粘着面に微細な塵を粘着して清掃する巻粘着テープが支持具により回転自在に成っていて、巻粘着テープを覆う上カバーと横カバーがスタンド機能を成して、巻粘着テー使用時に上カバーと横カバーはリフトハンドルにより一回で折り畳み出来て、使用後支持グリップとリフトハンドルの係止を解いて、ワンタッチで折り畳んだ上カバーと横カバーを復旧して立置きできる巻粘着テープ清掃用具である。【選択図】  図５
2016022083.tif 000002
【特許請求の範囲】
【請求項１】
粘着テープ清掃用具において、粘着テープの粘着面に微細な塵を粘着して清掃する巻粘着テープは、支持シャフトと支持アームと支持グリップとテープホルダーからなる支持具により回転自在に成っていて、支持アームにカバーシャフトを溶着して、カバーシャフトに上カバーと、上カバーを広げるカバー拡張スプリングが装着されて、巻粘着テープを覆いリフトバーを有する横カバーとはジョイント軸により扇転自在繋がっていて、前記リフトバーと、支持シャフトが貫通するリフトハンドルを繋げて、リフトハンドルの移動により上カバーと横カバーは折り畳み自在であって、支持グリップに形成されたハンドルフックとリフトハンドルに設けられたハンドルフック穴は脱着容易に係止出来る事を特徴とする粘着テープ清掃用具である。
【請求項２】
前記リフトバーにリフト穴を設け、前記リフトハンドルには、支持シャフトが貫通するシャフトスライド穴と、シャフトスライド穴の上下にリフトバー空間と、リフト軸を設けて、リフト穴にリフト軸挿入して、リフトバーとリフトハンドルを繋いでいる事を特徴とする事を特徴とする請求項１に記載の粘着テープ清掃用具である。
【請求項３】
前記支持グリップに二本の切り込みを設け、切り込み端にハンドルフックと二本の切り込み間に解除ボタンが形成されていて、ハンドルフックとリフトハンドルに設けたハンドルフック穴との係止を解いて、上カバーと横カバーはカバー拡張スプリングにより広げられスタンド機能を成して、支持グリップエンドから穴を形成して穴に延長竿を装着するための螺子山を設けている事を特徴とする請求項１又は請求項２に記載の粘着テープ清掃用具である。
【発明の詳細な説明】
【技術分野】
【０００１】
巻粘着テープの粘着面に微細な塵を粘着して清掃する巻粘着テープが支持具により回転自在に成っていて、使用後直ちに立置きできる清掃用具に関する。
【背景技術】
【０００２】
巻粘着テープが支持具により回転自在に成っていて、使用後直ちに立置きできるスタンド一体型巻粘着テープ清掃用具は、従来、支持具の持ち手部分方向に巻き粘着テープの覆い全体を引き寄せる構造又は、支持具の金属部の曲りがスタンドに成っているものが見られる。
【０００３】
しかしながら、従来の粘着テープの覆い全体を引き寄せる構造又は、支持具の金属部を曲げてスタンドにしている形状であると使用時に覆や金属部が邪魔になる欠点があった。
【先行技術文献】
【特許文献】
【０００４】
【特許文献１】実願２０１２−６８２４
【特許文献２】特開２０１２−１０５８１９
【特許文献３】特開平９−７５２９３
【発明の概要】
【０００５】
巻粘着テープ清掃用具において、粘着テープの粘着面に微細な塵を粘着して清掃する巻粘着テープが支持具により回転自在に成っていて、巻粘着テープを覆う上カバーと横カバーがスタンド機能を成して、巻粘着テー使用時に上カバーと横カバーはリフトハンドルにより一回で折り畳み出来て、粘着テープ使用後はハンドルフック解除ボタンを押し、ハンドルフックとハンドルフック穴の係止を解除して、ワンタッチで復旧して立置きできる巻粘着テープ清掃用具である。
【発明が解決しようとする課題】
【０００６】
特許文献１は、本出願と同じ分野のものが出願されていて、特許文献１は支持具の持ち手部分方向に巻き粘着テープの覆い全体を引き寄せる構造機能に成っている、しかしながら衣服に付いた微細塵を粘着させる場合覆いが邪魔になる欠点が見受けられる。
【０００７】
本発明は、以上のような従来の欠点に鑑み、巻き粘着テープの付着面と置場面との間隔をつくるスタンドを必要最小限にして巻き粘着テープと支持具のグリップとの間に収める、又は支持具のグリップの中に格納するスタンド一体型巻粘着テープ清掃用具を提供することで解消した。
【課題を解決するための手段】
【０００８】
請求項１は、粘着テープ清掃用具において、粘着テープの粘着面に微細な塵を粘着して清掃する巻粘着テープは、支持シャフトと支持アームと支持グリップとテープホルダーからなる支持具により回転自在に成っていて、支持アームにカバーシャフトを溶着して、カバーシャフトに上カバーと、上カバーを広げるカバー拡張スプリングが装着されて、巻粘着テープを覆いリフトバーを有する横カバーとはジョイント軸により扇転自在繋がっていて、前記リフトバーと、支持シャフトが貫通するリフトハンドルを繋げて、リフトハンドルの移動により上カバーと横カバーは折り畳み自在であって、支持グリップに形成されたハンドルフックとリフトハンドルに設けられたハンドルフック穴は脱着容易に係止出来る粘着テープ清掃用具。
【０００９】
請求項２は、前記リフトバーにリフト穴を設け、前記リフトハンドルには、支持シャフトが貫通するシャフトスライド穴と、シャフトスライド穴の上下にリフトバー空間と、リフト軸を設けて、リフト穴にリフト軸挿入して、リフトバーとリフトハンドルを繋いでいる粘着テープ清掃用具。
【００１０】
請求項３は、前記支持グリップに二本の切り込みを設け、切り込み端にハンドルフックと二本の切り込み間に解除ボタンが形成されていて、ハンドルフックとリフトハンドルに設けたハンドルフック穴との係止を解いて、上カバーと横カバーはカバー拡張スプリングにより広げられスタンド機能を成して、支持グリップエンドから穴を形成して穴に延長竿を装着するための螺子山を設けている粘着テープ清掃用具である。
【００１１】
請求項１から３に対応する粘着テープ清掃用具は。
巻粘着テープ清掃用具において、粘着テープの粘着面に微細な塵を粘着して清掃する巻粘着テープが支持具により回転自在に成っていて、巻粘着テープを覆う上カバーと横カバーがスタンド機能を成して、巻粘着テープ使用時に上カバーと横カバーはリフトハンドルにより折り畳み出来て、使用後直ちに折り畳んだ上カバーと横カバーを支持具により復旧して立置きできる巻粘着テープ清掃用具である。
【００１２】
支持具は支持グリップと支持シャフトと支持アームとテープホルダーの構成にし、支持アームにカバーシャフトを溶着して、カバーシャフトに前後の上カバーと、上カバーを開く為のカバー拡張スプリングを装着して、前後の上カバーはカバーシャフトを支点として扇転自在であって、前後の上カバーとリフトバーを有する前後の横カバーをジョイント軸に開閉自在に留めて、リフトバーの一端にリフト穴を設ける。
【００１３】
支持シャフトに装着してリフトバーを押し引きするためのリフトハンドルには、中央に支持シャフトが貫通するシャフトスライド穴と、シャフトスライド穴の上下にリフトバーの一端を挿入する空間と、リフト穴を装着する為のリフト軸を設けて、リフト穴にリフト軸挿入して、リフトバーとリフトハンドルを繋いで、リフトハンドルに上下のハンドルフック穴を形成する。
【００１４】
支持グリップに二本の切り込みを設け、切り込み端にハンドルフックと二本の切り込み間にハンドルフック解除ボタンを形成して、支持グリップにリフトハンドルを引き寄せて、ハンドルフックをフック穴に脱着容易に係止する。
支持グリップエンドに延長竿を装着するための螺子山を設ける。
【発明の効果】
【００１５】
以下図面に基づき説明する。
図１−６図符合１−２１は、巻粘着テープ清掃用具において、粘着テープの粘着面に微細な塵を粘着して清掃する巻粘着テープ(１)が支持具(２)により回転自在に成っていて、支持具(２)は支持グリップ(５)と支持シャフト(６)と支持アーム(７)とテープホルダー(８)の構成にし、支持アーム(７)にカバーシャフト(９)を溶着して、カバーシャフト(９)にカバー拡張スプリング(１０)と、前後の上カバー(３)を扇転自在に装着することにおいて、前後の上カバー(３)はカバーシャフト(９)を支点として開閉自在に出来る。
【００１６】
前後の上カバー(３)とリフトバー(１１)を有する前後の横カバー(４)をジョイント軸(１２)で繋ぐことにおいて、前後の上カバー(３)と前後の横カバー(４)はジョイント軸(１２)を支点として開閉自在になる。
【００１７】
リフトバー(１１)の一端にリフト穴(１３)を設けて、リフトハンドル(１４)には、中央に支持シャフト(６)が貫通するシャフトスライド穴(１５)と、シャフトスライド穴(１５)の上下にリフトバー(１１)の一端を挿入する空間と、リフト穴(１３)を装着する為のリフト軸(１６)を設けて、リフト穴(１３)にリフト軸(１６)挿入して、リフトバー(１１)とリフトハンドル(１４)を繋いでいることにおいて、リフトハンドル(１４)を支持シャフト(６)に沿って押し引きして上カバー(３)と横カバー(４)を折り畳み出来る。
【００１８】
リフトハンドル(１４)にハンドルフック穴(１７)を形成して、支持グリップ(５)に二本の切り込み(１８)を設け、切り込み(１８)端にハンドルフック(１９)と二本の切り込み(１８)間にハンドルフック(１９)解除ボタン(２０)を形成することにおいて、支持グリップ(５)にリフトハンドル(１４)を引き寄せて、ハンドルフック(１９)をハンドルフック穴(１７)に係止出来る。
【００１９】
支持グリップ(５)エンドから穴を形成して穴に螺子山(２１)を設けることにおいて、支持グリップ(５)エンドに延長竿を装着出来る。
【図面の簡単な説明】
【００２０】
【図１】支持具(２)と上カバー(３)と横カバー(４)の正面図、A−A線切断線を示す。
【図２】支持具(２)と上カバー(３)と横カバー(４)の右側面図、切断線B−B線を示す。
【図３】支持グリップ(５)とリフトハンドル(１４)と上カバー(３)の平面図。
【図４】図１のA−A線切断部端面図。
【図５】図１のA−A線切断部端面図、支持グリップ(５)にリフトハンドル(１４)を引き寄せて、ハンドルフック(１９)をハンドルフック穴(１７)に係止している。
【図６】図２のB−B線切断部端面図。
【発明を実施するための形態】
【００２１】
以下図面に基づき説明する。
図１−６図符合１−２１は、巻粘着テープ清掃用具において、粘着テープの粘着面に微細な塵を粘着して清掃する巻粘着テープ(１)が支持具(２)により回転自在に成っていて、巻粘着テープ(１)を覆う上カバー(３)と横カバー(４)がスタンド機能を成して、巻粘着テープ(１)使用時に上カバー(３)と横カバー(４)はリフトハンドル(１４)により折り畳み出来て、使用後直ちに折り畳んだ上カバー(３)と横カバー(４)をリフトハンドル(１４)により復旧して立置きできる巻粘着テープ清掃用具である。
【００２２】
支持具(２)は支持グリップ(５)と支持シャフト(６)と支持アーム(７)とテープホルダー(８)の構成にし、支持アーム(７)にカバーシャフト(９)を溶着して、カバーシャフト(９)に前後の上カバー(３)と、上カバー(３)を開く為のカバー拡張スプリング(１０)を装着して、前後の上カバー(３)はカバーシャフト(９)を支点として扇転自在であって、前後の上カバー(３)とリフトバー(１１)を有する前後の横カバー(４)をジョイント軸(１２)に開閉自在に留めて、リフトバー(１１)の一端にリフト穴(１３)を設ける。
【００２３】
支持シャフト(６)に装着してリフトバー(１１)を押し引きするためのリフトハンドル(１４)には、中央に支持シャフト(６)が貫通するシャフトスライド穴(１５)と、シャフトスライド穴(１５)の上下にリフトバー(１１)の一端を挿入する空間と、リフト穴(１３)を装着する為のリフト軸(１６)を設けて、リフト穴(１３)にリフト軸(１６)挿入して、リフトバー(１１)とリフトハンドル(１４)を繋いで、リフトハンドル(１４)に上下のハンドルフック穴(１７)を形成する。
【００２４】
支持グリップ(５)に二本の切り込み(１８)を設け、切り込み(１８)端にハンドルフック(１９)と二本の切り込み(１８)間にハンドルフック(１９)解除ボタン(２０)を形成して、支持グリップ(５)にリフトハンドル(１４)を引き寄せて、ハンドルフック(１９)をフック穴(１７)に脱着容易に係止する。
支持グリップ(５)エンドから穴を形成して穴に延長竿を装着するための螺子山(２１)を設ける。
【００２５】
図１−図６符合１−２１の巻粘着テープ清掃用具の使用方法は、巻粘着テープ清掃用具が立置されている場合からの使用は、支持グリップ(５)方向にリフトハンドル(１４)を移動すると、移動する力はリフト軸(１６)からリフトバー(１１)と横カバー(４)に伝わり、横カバー(４)からジョイント軸(１２)を経て上カバー(３)へと伝わって、上下の上カバー(３)はカバーシャフト(９)を支点として扇転し開く、と共に、上カバー(３)と横カバー(４)はジョイント軸(１２)を支点として徐々に閉じて、更に支持グリップ(５)にリフトハンドル(１４)を引き寄せて、ハンドルフック(１９)をハンドルフック穴(１７)に係止することにより巻粘着テープは使用可能状態になる。
【００２６】
粘着テープ使用後はハンドルフック(１９)解除ボタン(２０)を押し、ハンドルフック(１９)とハンドルフック穴(１７)の係止を解除する、と共に、カバーシャフト(９)に装着されたカバー拡張スプリング(１０)により開いていた上カバー(３)は徐々に閉じて、リフトハンドル(１４)がカバーシャフト(９)に装着された上カバー(３)に当たって立置き可能状態になる。
【符号の説明】
【００２７】
１  巻粘着テープ
２  支持具
３  上カバー
４  横カバー
５  支持グリップ
６  支持シャフト
７  支持アーム
８  テープホルダー  
９  カバーシャフト
１０  カバー拡張スプリング
１１  リフトバー
１２  ジョイント軸
１３  リフト穴
１４  リフトハンドル
１５  シャフトスライド穴
１６  リフト軸
１７  ハンドルフック穴
１８  切り込み
１９  ハンドルフック
２０  解除ボタン
２１  螺子
【図１】
2016022083.tif 000003
【図２】
2016022083.tif 000004
【図３】
2016022083.tif 000005
【図４】
2016022083.tif 000006
【図５】
2016022083.tif 000007
【図６】
2016022083.tif 000008